(57)【特許請求の範囲】
【請求項１】
基板実装ユニット本体の両側面枠間に複数個の基板を並設し、前記各基板の前部を着脱自在に支持した基板支持装置において、
前記両側面枠後側の上端部間または下端部間に設けられ、傾斜した基部と、該基部の一側に形成され前記各基板の上方または下方に位置した水平部と、前記基部の他側に形成され前記各基板の後方に位置した垂直部とからなる支持杆と、
該支持杆の両端部に形成され、前記両側面枠に回動自在に支持される支持部と、
前記支持杆の両端部に形成され、前記両側面枠に着脱自在に固定される固定部と、
前記基部に形成され、前記基板の装着時、前記各基板後側の角部が挿入される複数個のスリットと、
前記水平部に形成され、前記基板の着脱に際しての前記支持杆の回動時、前記各基板の上端部または下端部をガイドする複数個のガイド溝と
を備えたことを特徴とする基板支持装置。
【請求項２】
支持杆が両側面枠後側の上端部間と下端部間とに設けられたことを特徴とする請求項１記載の基板支持装置。
【発明の詳細な説明】
【０００１】
【発明の属する技術分野】
本発明は、複数個の基板を着脱自在に支持した基板実装ユニットにおける基板支持装置に関する。
【０００２】
【従来の技術】
従来の基板支持装置は、基板実装ユニット本体の上面及び下面に、基板とほぼ同じ長さのレールを複数個設け、上・下のレールをガイドとして基板を出し入れし、基板の挿入後は、各レールとは別体の複数個のストッパにより基板の後方への逸脱を防止している。
【０００３】
【発明が解決しようとする課題】
従来の前記装置の場合、ユニットの上面・下面に複数個のレールと、レールとは別体の複数個のストッパを設けているため、部品点数が多く構造が複雑であり、基板の支持・着脱が煩雑であり、基板の部品実装スペース・パターンが狭いという問題点がある。
【０００４】
本発明は、前記の点に留意し、部品点数が少なく、構造が簡単であり、基板の支持及び着脱が容易であり、かつ、基板の部品実装スペース・パターンを広くする基板支持装置を提供することを目的とする。
【０００５】
【課題を解決するための手段】
前記目的を達成するために、本発明の基板支持装置は、基板実装ユニット本体の両側面枠間に複数個の基板を並設し、前記各基板の前部を着脱自在に支持した基板支持装置において、
前記両側面枠後側の上端部間または下端部間に設けられ、傾斜した基部と、該基部の一側に形成され前記各基板の上方または下方に位置した水平部と、前記基部の他側に形成され前記各基板の後方に位置した垂直部とからなる支持杆と、
該支持杆の両端部に形成され、前記両側面枠に回動自在に支持される支持部と、前記支持杆の両端部に形成され、前記両側面枠に着脱自在に固定される固定部と、
前記基部に形成され、前記基板の装着時、前記各基板後側の角部が挿入される複数個のスリットと、前記水平部に形成され、前記基板の着脱に際しての前記支持杆の回動時、前記各基板の上端部または下端部をガイドする複数個のガイド溝とを備えたものである。
【０００６】
前記のように構成された本発明の基板支持装置は、両側面枠間に設けられる支持杆を、傾斜した基部と水平部と垂直部とにより構成し、支持杆の両端部の支持部により両側面枠に回動自在に支持し、固定部により着脱自在に固定し、基部にスリット、水平部にガイド溝を形成するのみの簡単な構成により、スリットに基板の角部を挿入するとともに、垂直部を基板の後端面に当接し、基板を支持・固定することができ、固定部を解放して支持部を支点として回動することにより、ガイド溝に基板の上端部または下端部が挿入して基板がガイドされ、基板の引き出し・挿入が容易であり、かつ、基板の角部及び上端部または下端部のみが挿入・ガイドされるため、基板の部品実装スペース・パターンを広くすることができる。
【０００７】
【発明の実施の形態】
本発明の実施の１形態を図１ないし図６を参照して説明する。図３の１は基板実装ユニット、２はユニット１のケース、３はケース２の表面カバー、図４の４はユニット本体、５はユニット本体４の表面パネル部、６はユニット本体４の左・右の側面枠、７は側面枠６の前部に回動自在に設けられた引き出しハンドルであり、常時は側面枠６の側面に収納され、ユニット本体４の引き出し時、引き出しハンドル７を前方へ回動し、ハンドル７を把持してユニット本体４を前方へ引き出す。８は基板である。
【０００８】
図１において、９はユニット本体４の前部に固着されたマザーボードであり、基板８の本体４への収納時、マザーボード９に接続される。１０は基板８の後部に固着された外部接続コネクタである。
【０００９】
１１ａ、１１ｂは左右方向の上部支持杆、下部支持杆であり、両側面枠６後側の上端部間、下端部間に設けられ、図６に示すように、ユニット本体４後側の上、下の枠体を構成し、図２に示すように、それぞれほぼ４５度に傾斜した基部１２と、基部１２の一側にほぼ４５度折曲し連続して形成された水平部１３と、基部１２の他側にほぼ４５度折曲し連続して形成された垂直部１４とからなり、上部支持杆１１ａは基部１２の上側に水平部１３が位置し、下部支持杆１１ｂは基部１２の下側に水平部１３が位置している。
【００１０】
１５は水平部１３の両端に内方へ直角に折曲して形成された支持部、１６は側面枠６及び支持部１５に挿通された支持ねじであり、締め付けにより支持部１５を固定し、緩めることにより支持杆１１ａ、１１ｂが支持ねじ１６を支点として回動自在になる。
【００１１】
１７は垂直部１４の両端に内方へ直角に折曲して形成された固定部、１８は側面枠６及び固定部１７に挿通された固定ねじであり、締め付けにより固定部１７を固定し、支持ねじ１６とともに支持杆１１ａ、１１ｂを側面枠６に固定する。
【００１２】
１９は基部１２に形成された複数個のスリットであり、基部１２の縦方向のほぼ全長にわたって形成されている。２０は水平部１３に形成された複数個のガイド溝であり、水平部１３の端面からほぼ半分の長さ縦方向に形成され、ガイド溝２０の開口端はテーパ２１になっており、ガイド溝２０とスリット１９の間に水平当接部２２が形成されている。
【００１３】
そして、ユニット本体４に各基板８が装着された状態において、上部支持杆１１ａは基部１２のスリット１９に基板８の後側上端角部が挿入し、基板８の上面に水平当接部２２が当接し、基板８の後面に垂直部１４が当接している。
【００１４】
一方、下部支持杆１１ｂは、基部１２のスリット１９に基板８の後側下端角部が挿入し、基板８の下面に水平当接部２２が当接し、基板８の後面に垂直部１４が当接し、支持ねじ１６及び固定ねじ１８が締め付けられ、基板８後側部が強固に固定され、後側部の上下動及び基板８の後方への移動が防止されている。
【００１５】
つぎに、基板８の後方への引き出しは、図５に示すように、上、下の固定ねじ１８を取り外すとともに支持ねじ１６を緩め、支持ねじ１６を支点とし、上部支持杆１１ａを上方へ、下部支持杆１１ｂを下方へ、それぞれほぼ４５度回動し、ガイド溝２０を基板８の上端部及び下端部に挿入し、上部支持杆１１ａの垂直部１４を基板８の上端面延長線より上方に位置させ、下部支持杆１１ｂの垂直部１４を基板８の下端面延長線より下方に位置させ、ガイド溝２０をガイドとして基板８を後方へ移動し引き出す。
【００１６】
そして、基板８のユニット本体４への挿入は、両支持杆１１ａ、１１ｂを回動した状態で、ガイド溝２０をガイドとして基板８を挿入し、基板８の前端部をマザーボード９に接続し、両支持杆１１ａ、１１ｂを前記と逆方向に回動し、スリット１９を基板８の角部に挿入し、水平当接部２２を基板８の上端面、下端面に当接するとともに、垂直部１４を基板８の後端面に当接し、固定部１７を固定ねじ１８により、支持部１５を支持ねじ１６により、それぞれ締め付け、基板８を装着状態にする。
【００１７】
従って、基板８の引き出し、挿入が容易であり、かつ、基板８の部品実装スペース・パターンを広くすることができ、しかも、部品点数が少なく、構造が簡単である。
【００１８】
前記形態において、両側面枠６後側の上端部間及び下端部間にそれぞれ上部支持杆１１ａ及び下部支持杆１１ｂを設けたが、上端部または下端部のみに前記支持杆を設け、下端部または上端部に通常の枠を設けるようにしてもよい。
【００１９】
【発明の効果】
本発明は、以上説明したように構成されているので、以下に記載されるような効果を奏する。
両側面枠６間に設けられる支持杆１１ａ，１１ｂを、傾斜した基部１２と水平部１３と垂直部１４とにより構成し、支持杆１１ａ，１１ｂの両端部の支持部１５により両側面枠６に回動自在に支持し、固定部１７により着脱自在に固定し、基部１２にスリット１９、水平部にガイド溝２０を形成するのみの簡単な構成により、スリット１９に基板８の角部を挿入するとともに、垂直部１４を基板８の後端面に当接し、基板８を支持・固定することができ、固定部１７を解放して支持部１５を支点として回動することにより、ガイド溝２０に基板８の上端部または下端部が挿入して基板８がガイドされ、基板８の引き出し・挿入が容易であり、かつ、基板８の角部及び上端部または下端部のみが挿入・ガイドされるため、基板８の部品実装スペース・パターンを広くすることができる。
【００２０】
さらに、上部支持杆１１ａ及び下部支持杆１１ｂを、両側面枠６後側の上端部間及び下端部間にそれぞれ設けるようにすることにより、基板８の支持・固定がより確実になる。
【図面の簡単な説明】
【図１】本発明の実施の１形態の一部の右側面図である。
【図２】Ａは図１の上部支持杆の一部正面図、Ｂは平面図、Ｃは右側面図、Ｄは展開図である。
【図３】図１の適用される基板実装ユニットの斜視図である。
【図４】図３のユニット本体の斜視図である。
【図５】図４から基板引き出し時の斜視図である。
【図６】図４から基板引き出し後の斜視図である。
【符号の説明】
４  ユニット本体
６  側面枠
８  基板
１１ａ，１１ｂ  支持杆
１２  基部
１３  水平部
１４  垂直部
１５  支持部
１７  固定部
１９  スリット
２０  ガイド溝
【図１】
0003890879.tif 000002
【図２】
0003890879.tif 000003
【図３】
0003890879.tif 000004
【図４】
0003890879.tif 000005
【図５】
0003890879.tif 000006
【図６】
0003890879.tif 000007